(57)【特許請求の範囲】
【請求項１】
下流側が高くなるように配置されたマイナス帯電トラフと、該マイナス帯電トラフの底部に配置された振動搬送路と、該振動搬送路の上方に配置された複数のマイナス帯電板とを有し、
前記複数のマイナス帯電板のうち下流側に連続して配置された４枚のものが、前記振動搬送路の搬送方向と直交する水平軸線を含む面に配置され、前記振動搬送面に対する直立面からの前記マイナス帯電板のずれ角度が、前記振動搬送路の下流に行くに従って大きくなり、さらに、前記振動搬送面と前記マイナス帯電板の下端部の間隔が、前記振動搬送路の下流に行くに従って小さくなっていることを特徴とする毛髪除去装置。
【発明の詳細な説明】
【０００１】
【発明の属する技術分野】
本発明は、誘電性異物除去装置、さらに詳しくは、重量差によって毛髪等の誘電性異物を非常に高い確率で分別して除去する装置に関する。
【０００２】
【従来技術】
従来、特開平２−２１８４５６号公報に、被処理物に混入している誘電性異物を静電気発生装置の電極部分に向けて引き寄せ、この誘電性異物を前記電極部分に引き寄せ、この誘電異物を前記電極部分と前記被処理物との間に介在した粘着層の粘着面に付着させる混入静電性異物の除去方法を開示している。
企業組合静岡機械製作所において製造された静岡式電気吸引選別機は、被処理物を振動コンベヤによって搬送し、この搬送路の上方に多数の荷電ローラを配置し、該荷電ローラによって被処理物内の誘電性異物を吸着する。吸着された誘電性異物は誘電ローラからバキュームエアーによって除去される。
【０００３】
特開平４−９０８６３号公報においては、帯電しやすい材質によって形成した水平ドラムと、このドラムの表面に接触させた静電気発生部材と、被処理物を受け取って排出させる排出装置を設けた毛髪回収装置を開示している。
米国特許第４６８０１０６号公報においては、荷電粒子を含む混合物から無視し得る程度の荷電が可能な粒子から分離する方法であって、各粒子が異なった電位となるように混合物に交流電圧を印加するステップと、続いて荷電された粒子が無視し得る程度の荷電が可能な粒子から分離させることができるように電圧を印加ステップとを繰り返す方法を開示している。
【０００４】
特開平７−１６３９０６号公報においては、ロケット、落下塔、放物線を描いて飛行する航空機等における無重力状態あるいは微少重力状態において、帯電粉体を層流で気流搬送し、この層流に電場をかけて粉体を分級する無重力法補粉体分級方法を開示している。
池上通信機株式会社において製造している粉体検査装置「ＰＯＩＥ−５０００」においては、４０００画素のＣＣＤラインセンサによって搬送中の被処理物を撮像し、毛髪等を黒色異物として検出するように構成されている。
【０００５】
【発明が解決しようとする課題】
前記特開平２−２１８４５６号公報に開示された混入静電性異物の除去方法は、静電気発生装置の電極部分を単に被処理物の搬送路の上方に配置するだけであって、被処理物から誘電性異物を吸い上げる能力は薬品分野や食品分野等の要求を満足する程高度のものではない。また、前記電極部分と前記被処理物との間に介在した粘着層の粘着面は、使い捨てであり、しかも誘電性異物以外のものを吸着する恐れが高く、資源節約の面からの問題もある。
【０００６】
前記静岡式電気吸引選別機は、荷電ローラによって誘電性異物を吸着するが、荷電ローラによって発生する電界強度を高めることによって誘電性異物の吸着力を強化して例えば１ｍｍ以下の毛髪を除去しようとすると、被処理物も一緒に除去することになり、被処理物の回収効率が極めて低くなってしまう問題がある。
特開平４−９０８６３号公報及び米国特許第４６８０１０６号公報において開示された毛髪回収装置等においては、毛髪の帯電圧に限度があり、回収もれの可能性が高く、例えば製薬分野で要求される回収性能を実現できない。
【０００７】
特開平７−１６３９０６号公報に開示された無重力状態は、設備投資や処理効率を考えれば産業上利用不可能なものである。
粉体検査装置「ＰＯＩＥ−５０００」においては、解像力の関係から５０μｍ以下の細目の毛髪は、検出時の方向によって異物として検出できない問題がある。また、異物を検出した場合、異物を含む被処理物を吸着して排除するため、回収率が９０％以下と低い問題もある。
【０００８】
【発明の目的】
本発明は、従来の誘電性異物除去装置及び方法に関する上述した問題にを鑑みてなされたものであって、誘電性異物を確実にかつ効率的に除去することができ、かつ回収率も９９．５％以上と高い誘電性異物除去装置及び方法を提供することを目的とする。
【０００９】
【課題を解決する手段】
本発明は、下流側が高くなるように配置されたマイナス帯電トラフと、該マイナス帯電トラフの底部に配置された振動搬送路と、該振動搬送路の上方に配置されたマイナス帯電板とを有し、該マイナス帯電板は上部が前記振動搬送路の上流側に傾斜させられていることを特徴とする誘電性異物除去装置である。
本発明はまた、下流側が高くなるように配置されたマイナス帯電トラフ内で、該マイナス帯電トラフの底部に配置された振動搬送路によって被処理物を搬送し、重量差によって被処理物から誘電性異物を抽出し、さらに振動搬送路の上方に配置されて上流側に傾斜したマイナス帯電板によって形成された静電気によって誘電性異物に対する斥力を発生させて抽出することを特徴とする誘電性異物除去方法である。
【００１０】
【作用】
被処理物は、振動搬送路によって上方の上流側に振動搬送されが、質量の相違から例えば毛髪の大部分のものは上昇ベクトルよりも大きい自重によって、少し搬送された後落下する等して振動搬送路の下方部に滞留し、マイナス帯電トラフに吸着され捕集可能となる。一方、軽量のため上昇した毛髪は、マイナス帯電板によって発生させられる斥力によって該マイナス帯電板付近において上昇ベクトルの影響を受けて揺動するか滞留するかして、捕集可能となる。
【００１１】
【発明の実施の形態】
以下に、本発明の実施態様の誘電性異物除去装置について図に基づいて説明する。誘電性異物除去装置１は、図２に示すように、架台１０によって振動フィーダー１２を搬送上流側が高くなるように水平に対し傾斜させて配置してなるが、この傾斜角度は可変である。電磁振動直進式の振動フィーダー１２の振動数は５０Hz又は６０Hzの半波駆動ある。振動フィーダー１２の搬送面１４の左右側部にはシリコンゴム製の緩衝部材１５を介して側壁部１６が取り付けられ、樋状断面を有する。搬送面１４の左右側部は、図３に示すように、丸めて静電気の影響のない部分を排除して、被処理物が搬送中に滞留することを防いでいる。
【００１２】
振動フィーダー１２の搬送面１４の上方には、図１に示すように、５枚の塩化ビニール製の帯電板２０、２２、２４、２６、２８が配置されている。帯電板２０、２２、２４、２６、２８の搬送面１４に対する傾斜角度は、被処理物が気道粘液溶解剤である塩酸ブロムヘキシン細粒製剤（ＢＬ）である場合は、図１に示すように、７５°、４０°、４５°、５０°、５５°である。帯電板２０、２２、２４、２６、２８の搬送面１４との間隔は、９mm、９mm、６mm、４mm、３mmである。帯電板２０、２２、２４、２６、２８には、マイナス３ｋｖが帯電させられる。振動フィーダー１２の水平に対する傾斜角度は、２５°である。
【００１３】
被処理物が胃炎・消化性潰瘍治療剤である塩酸ビレンゼビン細粒製剤（ＧＡ）である場合、帯電板２０、２２、２４、２６、２８の搬送面１４に対する傾斜角度は、４５°、５０°、５５°、６０°である。帯電板２０、２２、２４、２６、２８の搬送面１４との間隔は、１０mm、１０mm、８mm、５mm、４mmである。帯電板２０、２２、２４、２６、２８には、マイナス５ｋｖが帯電させられる。振動フィーダー１２の水平に対する傾斜角度は、２２°である。
【００１４】
【実験結果】
このように構成された誘電性異物除去装置１による実験結果は以下のとおりである。塩酸ブロムヘキシン細粒製剤２００ｇに全長及び直径を変えた各毛髪１０本を混入させ、誘電性異物除去装置１により除去処理を行った。処理速度は、１０ｋｇ／時間で、電圧５．０ｋｖを印加した２枚の帯電体を配置した。除去処理を行った被処理物は、目視により残留毛髪を検出して計数した。いずれの実験も９９．５％以上の回収率であった。
【００１５】
0004076656.tif 000002
【００１６】
0004076656.tif 000003
【００１７】
【比較実験】
４０００画素のＣＣＤラインセンサによって搬送中の被処理物を撮像し、毛髪等を黒色異物として検出するこのように構成された粉体検査装置によって毛髪を除去する比較実験を行った結果は、以下のとうりである。すなわち、塩酸ブロムヘキシン細粒製剤２００ｇに全長及び直径を変えた各毛髪１０本を混入させ、前記粉体検査装置により除去処理を行った。処理速度は、１７ｋｇ／時間であった。除去時処理を行った被処理物は、目視により残留毛髪を検出して計数した。いずれの実験も９８．８０〜９９．００％以上の回収率であった。
【００１８】
0004076656.tif 000004
【００１９】
0004076656.tif 000005
【００２０】
【発明の効果】
本発明によれば、従来技術のものに比較して誘電性異物をはるかに確実にかつ効率的に除去することができ、かつ回収率も９９．５％以上と高い効果を有する。
【図面の簡単な説明】
【図１】本発明の実施態様の誘電性異物除去装置における搬送部の断面図である。
【図２】本発明の実施態様の誘電性異物除去装置の側面図である。
【図３】図２における線lllーlllに沿った断面図である。
【符号の説明】
１                        誘電性異物除去装置
１０                      架台
１２                      振動フィーダー
１４                      搬送面
１５                      緩衝部材
１６                      側壁部
２０、２２、２４、２６、２８  帯電板
【図１】
0004076656.tif 000006
【図２】
0004076656.tif 000007
【図３】
0004076656.tif 000008